(57)【要約】【課題】電気光学表示装置において、隣接画素間での輝度段差を低減する。【解決手段】表示装置は、走査線１３５への選択電圧の印加に応じて該走査線に対応する画素列（画素電極１３８）へのデータ線１３４を介した画素電圧の印加を可能とするスイッチング素子１３６と、複数のデータ線に供給可能なサンプリング用電圧を走査線への選択電圧の印加期間において変化させる電圧生成部３００と、順次選択した走査線に選択電圧を印加する走査線駆動回路１２０を含み、サンプリング用電圧から画素電圧をサンプリングする電圧サンプリング部を有する。電圧生成部３００は、表示部のうちサンプリング用電圧が線形変化するときの隣接階調での表示輝度比率が所定値より高い領域にて、該比率が所定値以下となるように、サンプリング用電圧の変化率を、サンプリング用電圧が線形変化するときの該比率が所定値以下である電圧−輝度特性領域よりも小さくする。【選択図】図１
2014089306.tif 000002
【特許請求の範囲】
【請求項１】
複数の画素のそれぞれに対して設けられた画素電極に画素電圧が印加されることによって画像を表示する表示部を有する電気光学表示装置であって、
複数本の走査線および複数本のデータ線のうち互いに異なる１本の走査線および互いに異なる１本のデータ線に接続され、前記１本の走査線に選択電圧が印加されることに応じて当該１本の走査線に対応する画素列に含まれる画素の前記画素電極への前記１本のデータ線を介した前記画素電圧の印加を可能とする複数の画素スイッチング素子と、
前記複数のデータ線に供給可能なサンプリング用電圧を、前記１本の走査線に前記選択電圧が印加されるサンプリング期間において変化させるように生成する電圧生成部と、
前記複数の走査線のうち順次選択した前記１本の走査線に前記選択電圧を印加する走査線駆動回路および前記複数のデータ線への前記サンプリング用電圧の供給をオン／オフする複数のデータ線スイッチにより構成され、前記サンプリング用電圧から前記画素電圧をサンプリングする電圧サンプリング部と、
該電圧サンプリング部に、前記サンプリング期間において変化する前記サンプリング用電圧から入力階調に応じた前記画素電圧をサンプリングさせるサンプリング制御部とを有し、
互いに隣接する２つの前記入力階調を隣接階調というとき、
前記表示部は、前記入力階調の変化に対する前記サンプリング用電圧の変化率が一定である場合において、第１の隣接階調のそれぞれに応じて前記サンプリング用電圧からサンプリングされた２つの前記画素電圧がそれぞれ印加されたときの表示輝度の比率が所定値以下となる第１の電圧−輝度特性領域と、第２の隣接階調のそれぞれに応じて前記サンプリング用電圧からサンプリングされた２つの前記画素電圧がそれぞれ印加されたときの表示輝度の比率が前記所定値より大きくなる第２の電圧−輝度特性領域とを有しており、
前記電圧生成部は、前記第２の電圧−輝度特性領域において、前記第２の隣接階調に応じた前記表示輝度の比率が前記所定値以下となるように、前記入力階調の変化に対する前記サンプリング用電圧の変化率を、前記第１の電圧−輝度特性領域における前記サンプリング用電圧の変化率よりも小さくすることを特徴とする電気光学表示装置。
【請求項２】
前記所定値が、１％であることを特徴とする請求項１に記載の電気光学表示装置。
【請求項３】
前記電圧生成部は、前記入力階調の階調数よりも多い数の前記サンプリング用電圧を生成可能であることを特徴とする請求項１または２に記載の電気光学表示装置。
【請求項４】
前記入力階調のうち最低階調αｍｉｎに応じてサンプリングされる前記画素電圧をαｍｉｎＶとし、
前記入力階調のうち最高階調αｍａｘに応じてサンプリングされる前記画素電圧をαｍａｘＶとし、
前記入力階調の変化に対する前記サンプリング用電圧の変化率が一定である場合における前記隣接階調のそれぞれに対する前記表示輝度をＢおよびＢ＋１とするとき、
前記電圧生成部は、前記第２の電圧−輝度特性領域において、前記２の隣接階調のそれぞれに応じてサンプリングされる前記画素電圧の差が、
［１／（｛［（Ｂ＋１）／Ｂ］−１｝×１００）］
×［（αｍａｘＶ−αｍｉｎＶ）／（αｍａｘ−αｍｉｎ）］
以下となるように、前記第２の電圧−輝度特性領域における前記サンプリング用電圧の変化率を設定することを特徴とする請求項１に記載の電気光学表示装置。
【請求項５】
請求項１から４のいずれか一項に記載の電気光学表示装置と、
光源からの光を、前記電気光学表示装置に導く照明光学系と、
該電気光学表示装置からの光を被投射面に投射する投射光学系とを有することを特徴とする画像投射装置。
【請求項６】
請求項１から４のいずれか一項に記載の電気光学表示装置を有することを特徴とする電子機器。
【発明の詳細な説明】
【技術分野】
【０００１】
本発明は、液晶表示素子等の電気光学的に画像を表示する画像表示素子を用いて画像を表示する電気光学表示装置に関し、液晶プロジェクタ等の画像投射装置に好適なものに関する。
【背景技術】
【０００２】
液晶表示素子には、透明電極を有する第１の透明基板（共通電極）と、画素電極（透明電極）、配線およびスイッチング素子を有する第２の透明基板と、該第１および第２の透明電極の間に封入された誘電異方性が正のネマチック液晶とにより構成されたものがある。この液晶表示素子は、液晶分子の長軸が２枚の透明基板間で連続的に９０°まで捻られることで、いわゆるＴＮ（Twisted Nematic）液晶型の透過型液晶表示素子と称される。
【０００３】
また、液晶表示素子には、透明電極（共通電極）を有する透明基板と、反射鏡（画素電極）、配線およびスイッチング素子を有する回路基板と、該透明基板および回路基板の間に封入された誘電異方性が正のネマチック液晶とにより構成されたものもある。この液晶表示素子は、液晶分子の長軸を２枚の基板に対してほぼ垂直にモメオトロピック配向させることで、いわゆるＶＡＮ（Vertical Alignment Nematic）液晶型の反射型液晶表示素子と称される。
【０００４】
そして、これらの液晶表示素子に画像を形成させるために、ＥＣＢ（Electrically Controlled Birefringence）効果を利用して、液晶層を通過する光波動に対してリタデーションを与え、光波動の偏光状態を変化させる作用を制御する方法がある。すなわち、液晶層に印加する電圧を制御して、液晶分子の分子長軸方向を液晶層の層厚方向にチルトさせ、層厚方向の複屈折量を減少または増加させる。これにより、液晶層を通過した光波動を液晶層への印加電圧に応じた楕円偏光状態とし、光出射側に配置された偏光制御素子によって特定の偏光方向を有する偏光成分のみを通過させることで入射光の強度を変調する。
【０００５】
特許文献１には、液晶等の電気光学的な変化により画像表示を行う電気光学表示装置における表示階調の制御方法が開示されている。この装置では、走査線に選択電圧を印加する期間に共通電極（コモン電極）を一定の電圧に保つ一方、画素電極に対して、電圧が一定の時間変化率で単調変化する信号をオン状態のスイッチおよびデータ線を介して印加する。そして、階調に応じた時間が経過した時点で該スイッチをオフすることで、画素電極とコモン電極との電圧差を階調に応じて制御する。
【０００６】
また、特許文献２にて開示された電気光学表示装置では、一端がデータ線に接続され、他端が給電線に接続されたスイッチをデータ線ごとに設けている。また、給電線を介して画素電極に対して、電圧が単調変化する信号を印加し、選択電圧が印加された走査線とデータ線に対応する画素の階調に応じた期間だけスイッチをオン状態に制御する。そして、選択電圧が印加された期間において該選択電圧が印加された走査線に位置する画素の１行分の表示内容（画素のサンプリング数）に応じて給電線に接続するコンデンサの容量を切り替える。
【先行技術文献】
【特許文献】
【０００７】
【特許文献１】特開平９−６８６９２号公報
【特許文献２】特開２００８−１７０８４３号公報
【発明の概要】
【発明が解決しようとする課題】
【０００８】
一般的な液晶の印加電圧に対する透過率（もしくは反射率）は、非線形性な特性を有する。例えば、無印加電圧で明るさが最小であるノーマリーブラックモードのＶＴ特性を図１５（Ａ）に示す。横軸は液晶層に印加される電圧（液晶駆動電圧）であり、縦軸は不図示の光学系により出力される明るさ（表示輝度）を示す。図１５（Ａ）には、液晶駆動電圧が高い領域では透過率（もしくは反射率）の変化が小さく、液晶駆動電圧が中程度の領域では透過率（もしくは反射率）の変化が大きい特性を示す。
【０００９】
また、上述した特許文献１，２ではいずれも、画素電極に対して電圧が単調変化する信号をオン状態のスイッチおよびデータ線を介して印加しており、入力される画像データに対して画素電極への電圧は線形に変化（単調変化）する。したがって、上記の一般的な液晶の印加電圧に対する透過率（もしくは反射率）特性に、入力階調に対して単調変化する電圧を印加して液晶を駆動すると、図１５（Ｂ）に示すような入力階調に対する明るさ特性が得られる。この図では、入力階調を１０ｂｉｔで示している。
【００１０】
さらに、図１５（Ｂ）に示した入力階調に対する明るさ特性において、互いに隣接する２つの入力階調に対する明るさの比率を算出してグラフ化したものを図１５（Ｃ）に示す。例えば、図１５（Ｂ）において、入力階調４７０に対する明るさが１０．６０％であり、該入力階調４７０に対して隣接する入力階調４７１に対する明るさが１０．７４％である。このため、図１５（Ｃ）における入力階調４７０，４７１間での明るさの比率は＋１．３％（＝１０．７４％／１０．６０％）となる。
【００１１】
図１５（Ｃ）には、入力階調が低い領域では隣接する入力階調（以下、隣接階調という）間での明るさの比率が大きい、つまりは入力階調変化に対する明るさ変化が大きい（敏感である）ことを示す。一方、入力階調が高い領域では隣接階調間での明るさの比率が小さく、入力階調変化に対する明るさ変化が小さい（鈍感である）ことを示す。そして、このような階調特性は、入力階調が低い領域と高い領域とで階調変化に対する明るさ変化のばらつきを生み、特に入力階調が低い領域において明るさ分解能が低くなる。
【００１２】
また、一般に、液晶表示素子およびこれを用いた画像表示装置や画像投射装置には、液晶のセルギャップむらや装置内の光学素子の入射角度特性等に応じて、表示面内に輝度むら（色ムラ）が発生する。この輝度むらを低減するために、表示面内に異なる階調を分布させて逆補正を行う輝度むら（色むら）補正が行われることが多い。図１６には、入力階調が４７０であるのときの表示面内での輝度むら補正状態での階調分布を示す。輝度むら補正前に階調が４７０より高い領域では階調が４７０の領域よりも輝度が暗く、輝度むら補正前に階調が４７０より低い領域では階調が４７０の領域よりも輝度が高いため、この階調分布を逆補正することで、表示面内の輝度を均一化する。
【００１３】
このとき、特許文献１，２の装置のように入力階調に対して単調変化する電圧を印加して液晶を駆動すると（すなわち図１５（Ｃ）に示す特性で駆動すると）、図１５に示す輝度むら補正により、階調４７０の領域と階調４７１の領域とで１．３％の明るさ比率が生じる。
【００１４】
一般に、人間は、１．０％より大きい明るさ比率を輝度段差として認識する。このため、図１５（Ｃ）に示す特性での液晶駆動を行うと、低階調から中間階調（約５３０）にかけて輝度むら補正後に輝度段差に起因する疑似輪郭が視認される。
【００１５】
さらに、特許文献１，２の装置のように、液晶に印加する電圧をサンプリングして選択する駆動方式においては、サンプリング周波数によってサンプリング数が制限される。例えば、サンプリング数が１０ｂｉｔであり、画素フォーマットが１４００×１０５０画素で、倍速１２０Ｈｚ駆動を行う場合には、サンプリング周波数としては、１２９＋αＭＨｚ（＝１／１２０×１／１０５０×１／１０２４）が必要である。そして、現実的には、ブランキングが必要であるため、サンプリング周波数としては１８０ＭＨｚ程度が必要となる。これ以上のサンプリング周波数にて液晶駆動を行うことは非現実的であり、この結果、サンプリング数は１０ｂｉｔ程度までに限定されてしまう。これにより、輝度段差（疑似輪郭）が目立つ。
【００１６】
本発明は、隣接階調間での輝度段差の発生を抑制することができるようにした電気光学表示装置を提供する。
【課題を解決するための手段】
【００１７】
本発明の一側面としての電気光学表示装置は、複数の画素のそれぞれに対して設けられた画素電極に画素電圧が印加されることによって画像を表示する表示部と、複数本の走査線および複数本のデータ線のうち互いに異なる１本の走査線および互いに異なる１本のデータ線に接続され、１本の走査線に選択電圧が印加されることに応じて当該１本の走査線に対応する画素列に含まれる画素の画素電極への１本のデータ線を介した画素電圧の印加を可能とする複数の画素スイッチング素子と、複数のデータ線に供給可能なサンプリング用電圧を、１本の走査線に選択電圧が印加されるサンプリング期間において変化させるように生成する電圧生成部と、複数の走査線のうち順次選択した１本の走査線に選択電圧を印加する走査線駆動回路および複数のデータ線へのサンプリング用電圧の供給をオン／オフする複数のデータ線スイッチにより構成され、サンプリング用電圧から画素電圧をサンプリングする電圧サンプリング部と、該電圧サンプリング部に、サンプリング期間において変化するサンプリング用電圧から入力階調に応じた画素電圧をサンプリングさせるサンプリング制御部とを有する。互いに隣接する２つの入力階調を隣接階調というとき、表示部は、入力階調の変化に対するサンプリング用電圧の変化率が一定である場合において、第１の隣接階調のそれぞれに応じてサンプリング用電圧からサンプリングされた２つの画素電圧がそれぞれ印加されたときの表示輝度の比率が所定値以下となる第１の電圧−輝度特性領域と、第２の隣接階調のそれぞれに応じてサンプリング用電圧からサンプリングされた２つの画素電圧がそれぞれ印加されたときの表示輝度の比率が該所定値より大きくなる第２の電圧−輝度特性領域とを有する。そして、電圧生成部は、第２の電圧−輝度特性領域において、第２の隣接階調に応じた表示輝度の比率が該所定値以下となるように、入力階調の変化に対するサンプリング用電圧の変化率を、第１の電圧−輝度特性領域におけるサンプリング用電圧の変化率よりも小さくすることを特徴とする。
【００１８】
なお、上記電気光学表示装置と、光源からの光を、電気光学表示装置に導く照明光学系とを有し、該電気光学表示装置からの光を投射光学系を介して投射する画像投射装置も、本発明の他の一側面を構成する。また、上記電気光学表示装置を有する電子機器も、本発明の他の一側面を構成する。
【発明の効果】
【００１９】
本発明では、入力階調の変化に対するサンプリング用電圧の変化率が一定である場合において隣接階調間での輝度段差が生じる第２の電圧−輝度特性領域での該変化率を、該輝度段差が生じない第１の電圧−輝度特性領域での該変化率よりも小さくする。これにより、第２の電圧−輝度特性領域における隣接階調間での輝度段差の発生を抑制することができ、輝度むら補正後に擬似輪郭が視認されることを防止することができる。
【図面の簡単な説明】
【００２０】
【図１】本発明の実施例１である電気光学表示装置の構成を示すブロック図。
【図２】実施例１の電気光学表示装置のうち液晶表示パネルの構成を示す図。
【図３】線形に変化するランプ電圧を示す図。
【図４】実施例１の電気光学表示装置における水平走査時のＨＳとＨＣＬＫとＤＡＴＡのタイミングを示す図。
【図５】実施例１の電気光学表示装置におけるＨＳとＣＣＬＫとＣＲＳＴのタイミングを示す図。
【図６】実施例１の電気光学表示装置における非線形に変化するランプ電圧を示す図。
【図７】実施例１の電気光学表示装置における（Ａ）入力データ変換テーブル、（Ｂ）ランプ電圧および（Ｃ）ガンマ特性を示す図。
【図８】実施例１の電気光学表示装置における隣接階調間での明るさ比率を示す図。
【図９】本発明の実施例２である電気光学表示装置における非線形に変化するランプ電圧を示す図。
【図１０】実施例２の電気光学表示装置における（Ａ）入力データ変換テーブルおよび（Ｂ）ランプ電圧を示す図。
【図１１】実施例２の電気光学表示装置における隣接階調間での明るさ比率を示す図。
【図１２】本発明の実施例３である電気光学表示装置における非線形に変化するランプ電圧を示す図。
【図１３】実施例３の電気光学表示装置における（Ａ）入力データ変換テーブルおよび（Ｂ）ランプ電圧を示す図。
【図１４】実施例３の電気光学表示装置における隣接階調間での明るさ比率を示す図。
【図１５】従来の電気光学表示装置における（Ａ）ガンマ特性、（Ｂ）入力階調と明るさとの関係および（Ｃ）隣接階調間での明るさ比率を示す図。
【図１６】輝度むら補正による階調分布を示す図。
【図１７】本発明の実施例４である画像投射装置の構成を示す図。
【発明を実施するための形態】
【００２１】
以下、本発明の実施例について図面を参照しながら説明する。詳細に説明する。
【実施例１】
【００２２】
図１には、本発明の実施例１である電気光学表示装置の構成を示している。電気光学表示装置は、画像表示素子としての液晶表示パネル１００と、制御回路２００と、電圧生成部としてのランプ電圧生成回路３００とにより構成されている。液晶表示パネル１００は、複数の画素（ここでは、例としてＳＸＧＡ＋の解像度対応する水平１４００画素×垂直１０５０画素とする）を含む表示部としての表示領域１３０にて画像を表示する。ここにいう画像を表示するとは、入射した光を、画像を表示する光に変調するという意味である。
【００２３】
制御回路２００内のパネル制御回路２１０は、不図示のスケーラ等からデジタル化された映像の入力を受けて液晶表示パネル１００への駆動制御信号を生成する。サンプリング数検出部としての同一データサンプリング数検出回路２３０は、パネル制御回路２１０でガンマ補正、輝度むら（色むら）補正等の各種補正を受けた映像データから同一の入力階調データ（以下、同一データという）が設定された画素数を検出する。同一データが設定された画素数を、以下の説明では同一データサンプリング数という。
【００２４】
サンプリング制御部としてのサンプリング制御回路２２０は、同一データサンプリング数検出回路２３０にて検出された同一データサンプリング数（検出結果）に応じて、ランプ電圧生成回路３００での電圧生成制御と液晶表示パネル１００の駆動制御とを行う。
【００２５】
液晶表示パネル１００内には、上述した表示領域１３０と、Ｈ駆動回路１１０と、走査線駆動回路としてのＶシフトレジスタ１２０とが設けられている。Ｈ駆動回路１１０は、パネル制御回路２１０からの駆動制御信号および映像データと、サンプリング制御回路２２０からの駆動制御信号とを受けて、表示領域１３０に含まれる各水平画素列（以下、ラインという）の画素を駆動する。
【００２６】
図２に示すように、Ｈ駆動回路１１０内のインプットデータレジスタ１１１は、パネル制御回路２１０でガンマ補正、色むら補正等の各種補正を受けた映像データを順次受けて、Ｎ＋１ライン分の映像データを記憶する。
【００２７】
また、Ｈ駆動回路１１０内のデータメモリ１１２は、インプットデータレジスタ１１１にて受けたＮライン目の映像データを記憶する。データコンパレータ１１３はデータメモリ１１２に記憶している映像データと、データコンパレータ１１３に入力されるカウンタークロック（サンプリングクロック）であるＣＣＬＫのカウント値とを比較する。
【００２８】
ＳＷコントローラ１１４は、データコンパレータ１１３からの出力をもとに、データ線スイッチとしてのアナログＳＷ１３３のスイッチングを行うＳＷ信号１３２を、アナログＳＷ１３３をＯＮ／ＯＦＦ可能な電圧に変換して出力する。
【００２９】
ランプ電圧生成回路３００は、複数本のビデオ線１３４に供給可能なサンプリング用電圧としてのランプ電圧（ＲＶ）１３１を生成する。そして、アナログＳＷ１３３は、表示領域１３０に垂直方向に延びるように配線された複数本のデータ線としてのビデオ線１３４に対するランプ電圧（ＲＶ）１３１の供給をオン／オフする。なお、ＳＸＧＡ＋では、１４００本のビデオ線１３４が表示領域１３０に含まれ、ビデオ線１３４ごとにアナログＳＷ１３３が設けられている。
【００３０】
Ｖシフトレジスタ１２０は、パネル制御回路２１０からのＶＳ信号とＶＣＬＫ信号を受けて、表示領域１３０に水平方向に延びるように配線された複数本の水平走査線１３５へのＶ走査信号（選択電圧）の出力を制御する。なお、ＸＧＡでは、１０５０本の水平走査線１３５が表示領域１３０に含まれる。詳しくは後述するが、ランプ電圧（ＲＶ）１３１は、１本の水平走査線１３５にＶ走査信号が印加される期間において、単調変化するように生成される。Ｖシフトレジスタ１２０およびアナログＳＷ１３３によって電圧サンプリング部が構成される。
【００３１】
各水平走査線（１本の走査線）１３５と各ビデオ線（１本のデータ線）１３４とが交差する箇所には、画素スイッチング素子としての画素トランジスタ１３６、画素コンデンサ１３７および液晶ＬＣが設けられている。これら画素トランジスタ１３６、画素コンデンサ１３７、画素電極１３８および液晶ＬＣにより１つの画素が構成される。
【００３２】
アナログＳＷ１３３を介してビデオ線１３４に供給されるランプ電圧（ＲＶ）１３１は、画素トランジスタ１３６のドレインに接続される。これにより、画素トランジスタ１３６のゲートが水平走査線１３５に接続され、水平走査線１３５からのＶ走査信号によって画素トランジスタ１３６のオン／オフ制御が行われる。
【００３３】
画素コンデンサ１３７は、画素トランジスタ１３６のソースに接続され、ビデオ線１３４に印加されたランプ電圧を受けて、該ランプ電圧を液晶駆動電圧（画素電圧）としてチャージする。ビデオ線１３４は、画素トランジスタ１３６のソースに接続されるとともに、配線としてのビデオ線１３４自体がコンデンサ容量として機能し、画素コンデンサ１３７の容量より大きい容量（数百から数万倍）を構成する。また、画素コンデンサ１３７の他端は、所定電圧であるＶｃｏｍＣに接続されている。
【００３４】
液晶ＬＣは、画素コンデンサ１３７にチャージされて画素電極１３８に印加される液晶駆動電圧（画素電圧）と、不図示の透明電極に印加される所定電圧であるＶｃｏｍＬとの差である電位差に応じて駆動される。なお、前述した同一入力階調データを意味する「同一データ」は、同一の液晶駆動電圧とも言い換えることができる。
【００３５】
また、本実施例では、液晶駆動電圧がゼロに近い場合に液晶ＬＣの光透過率が最小となって黒色が表示され、液晶駆動電圧が大きくなるにつれて光透過率が増加する、いわゆるノーマリーブラックモードの液晶駆動方式が採用されている場合について説明する。
【００３６】
引き続き、図１および図２を用いて、液晶表示パネル１００およびランプ電圧生成回路３００の動作について詳しく説明する。
【００３７】
前述したように、制御回路２００内のパネル制御回路２１０は、映像入力を受けてガンマ補正、色むら補正等の各種補正が行われた映像データを生成する。生成された映像データは、ＤＡＴＡラインを介して液晶表示パネル１００のＨ駆動回路１１０に入力されるとともに、制御回路２００内の同一データサンプリング数検出回路２３０に入力される。
【００３８】
Ｈ駆動回路１１０に入力された映像データは、Ｈ駆動回路１１０内のインプットデータレジスタ１１１に格納される。このときの様子を図４に示す。インプットデータレジスタ１１１は、映像データを、パネル制御回路２１０からの水平スタート信号であるＨＳ信号を起点として、ＨＣＬＫに同期してデータＤ１〜Ｄ１０２４として格納していく。ＳＸＧＡ＋の解像度では、水平方向の映像データとして１４００個のデータを記憶する。
【００３９】
データメモリ１１２は、インプットデータレジスタ１１１にて受けたＮライン目の映像データを記憶する。このとき、インプットデータレジスタ１１１には、次のラインであるＮ＋１ライン目の映像データが入力される。
【００４０】
データコンパレータ１１３は、図５に示すように、サンプリング制御回路２２０から出力されるＣＲＳＴ信号を起点としてＣＣＬＫのカウントを行うカウンタを含む。そして、データコンパレータ１１３は、データメモリ１１２に記憶されている映像データと、上記カウンタによるカウント値とを比較する。
【００４１】
例えば、映像データが１０ｂｉｔの階調であり、Ｄ１のデータが１００であるとすると、データコンパレータ１１３は、ＣＫ１００にてＳＷコントローラ１１４にコンパレータ出力を行う。また、例えば、Ｄ２のデータが４であるとすると、データコンパレータ１１３は、ＣＫ４にてＳＷコントローラ１１４にコンパレータ出力を行う。このようにして、データコンパレータ１１３は、水平方向に１４００のコンパレータ出力を行うことが可能である。
【００４２】
ＳＷコントローラ１１４は、データコンパレータ１１３からの１４００のコンパレータ出力を電圧変換し、１４００個のアナログＳＷ１３３に対して制御信号を出力する。このアナログＳＷ１３３をオン／オフすることにより、ランプ電圧生成回路３００から出力されるランプ電圧（ＲＶ）１３１をビデオ線１３４に印加したり遮断したりする制御を行う。
【００４３】
１４００個のアナログＳＷ１３３は、ＣＲＳＴ信号により全てがオン状態となってランプ電圧（ＲＶ）１３１がビデオ線１３４に印加された状態とする。アナログＳＷ１３３はコンパレータ出力を受けるとオフ状態となり、ランプ電圧（ＲＶ）１３１がビデオ線１３４に印加されない状態（遮断状態）とする。
【００４４】
次に、ランプ電圧生成回路３００におけるランプ電圧の生成について説明するが、本実施例ではランプ電圧生成回路３００が、デジタルデータをアナログ変換するＤ／Ａコンバータである場合について説明する。サンプリング制御回路２２０は、ランプ電圧生成回路３００であるＤ／Ａコンバータに、該Ｄ／Ａコンバータのデータ更新を行わせるクロックであるＤ／ＡＣＬＫとランプ電圧のインクリメントを指示するデータであるＤ／ＡＤＡＴＡとを入力する。Ｄ／ＡＣＬＫとＤ／ＡＤＡＴＡは、前述したＣＲＳＴ信号を起点として、ＣＣＬＫと同期してサンプリング制御回路２２０から出力される。
【００４５】
また、Ｄ／ＡＤＡＴＡは、Ｄ／ＡＣＬＫのクロック数に応じてインクリメントしていくデータとして出力される。例えば、ランプ電圧生成回路３００の階調を１０ｂｉｔとした場合、ランプ電圧生成回路３００は１０２４の分解能にてランプ波形を生成する。従来では、図３に示すように、ＣＲＳＴ信号から次のＣＲＳＴ信号までのサンプリング期間において、ＣＣＬＫのカウント値（つまりは入力階調）の変化に対して線形に、すなわち一定の変化率で単調変化（単調増加）するランプ電圧を生成する。
【００４６】
ランプ電圧生成回路３００から出力されるランプ電圧（ＲＶ）１３１は、ＣＲＳＴ信号の入力時点で所定の開始電圧となる。そして、線形に単調変化するランプ電圧では、例えばＤ１においては図３中に「Ｄ１：１００」で示す電圧としてビデオ線１３４に印加される。前述したようにランプ電圧生成回路３００の階調を１０ｂｉｔの１０２４分解能とした場合に、ランプ電圧の最大電圧（Δ電圧）が４Ｖであるとするとき、「Ｄ１：１００」で示す電圧は、
｛（１００−１）／１０２４｝×４Ｖ＝０．３８６７Ｖ
となり、ランプ電圧の開始電圧に対して＋０．３８６７Ｖがビデオ線１３４に印加されることになる。また、ランプ電圧（ＲＶ）１３１は、例えばＤ２においては図３中に「Ｄ２：４」で示す電圧としてビデオ線１３４に印加される。「Ｄ２：４」で示す電圧は、
｛（４−１）／１０２４｝×４＝０．０１１７Ｖ
となり、ランプ電圧の開始電圧に対して＋０．０１１７Ｖがビデオ線１３４に印加されることになる。
【００４７】
このようなランプ電圧からのサンプリングを行い、１４００本のビデオ線１３４に対してサンプリングされた電圧（液晶駆動電圧）を印加する。ビデオ線１３４に印加された電圧は、Ｖシフトレジスタ１２０から出力されるＶ走査信号によって、１ラインにおける１４００個（Ｈ１〜Ｈ１４００）の画素トランジスタ１３６のゲートに接続される。これにより、１４００個の画素トランジスタ１３６がオンになる。
【００４８】
この画素トランジスタ１３６のオンにより、ビデオ線１３４と画素コンデンサ１３７は画素トランジスタ１３６を介して接続され、画素トランジスタ１３６にランプ電圧からサンプリングした液晶駆動電圧をチャージする。こうして、Ｈ１〜Ｈ１４００の画素コンデンサ１３７にそれぞれチャージされた液晶駆動電圧が画素電極１３８に印加することにより、液晶ＬＣを駆動する。
【００４９】
パネル制御回路２１０から垂直走査スタート信号ＶＳと垂直走査クロック信号ＶＣＬＫを受けたＶシフトレジスタ１２０は、水平走査線１３５に出力されるＶ走査信号を、クロックＶＣＬＫごとに垂直方向にＶ１からＶ１０５０まで順次走査（順次選択）する。この走査により、液晶表示パネル１００の表示領域１３０の全画素に対して、液晶駆動電圧の書き込み（チャージ）制御を行うことができる。そして、透明電極に印加されるＶｃｏｍＬと画素電極１３８に印加される液晶駆動電圧との差に応じて液晶ＬＣが駆動され、表示領域１３０に画像が表示される。
【００５０】
ただし本実施例では、ランプ電圧生成回路３００は、サンプリング期間でのランプ電圧（ＲＶ）１３１として、図６に示すように入力階調に対応するＣＣＬＫのカウント値（ＣＫ１〜ＣＫ１０２４）に対して非線形な特性を有するランプ電圧を生成して出力する。これは、ランプ電圧生成回路３００が、その入力データ変換機能において、図７（Ａ）に示す入力データ変換テーブルを用いてＣＣＬＫのカウント値を変換した結果である。入力データは、入力階調を意味する。
【００５１】
図７（Ａ）に示す変換テーブルにおいて、例えばＣＣＬＫのカウント値（入力階調）がＣＫ４７０であるとき、縦軸に示す変換後の階調は６０３になる。変換後の階調はランプ電圧（ＲＶ）に比例しており、変換後の階調が０のときのランプ電圧は０Ｖ、変換後の階調が２０４７のときのランプ電圧は２Ｖ、変換後の階調が４０９５のときのランプ電圧は４Ｖである。この変換後の階調に対応したランプ電圧を、以下の説明では、変換後ランプ電圧という。
【００５２】
また、図７（Ａ）に示す変換テーブルによる変換後の階調のビット数は１２ｂｉｔであり、ＣＣＬＫカウント数のビット数である１０ｂｉｔより多い。このため、変換後ランプ電圧は、図３に示したランプ電圧よりも細かい分解能を持つことが可能である。言い換えれば、入力階調の階調数よりも多い数のランプ電圧を生成可能である。
【００５３】
図７（Ｂ）には、サンプリング期間におけるＣＣＬＫのカウント値に対するより詳細な変換後ランプ電圧（ＲＶ）を、図６よりも詳細に示している。横軸はＣＣＬＫのカウント値（ＣＫ１〜ＣＫ１０２４）を、縦軸は各カウント値に対してランプ電圧生成回路３００にて生成される変換後ランプ電圧（液晶駆動電圧）を示している。例えば、ＣＣＬＫのカウント値がＣＫ４７０であるとき、変換後ランプ電圧は、０．５８９Ｖである。
【００５４】
さらに、図７（Ｃ）には、液晶表示パネル１００のガンマ特性を示す。横軸は液晶駆動電圧を示し、縦軸は不図示の光学系を通して液晶表示素子が電圧変調されることにより出力される明るさ（表示輝度）を示す。
【００５５】
ここで、先に説明した図１５（Ｂ），（Ｃ）において、約５３０より高い階調領域Ｉでは、互いに隣接する入力階調（第１の隣接階調）に応じた２つの液晶駆動電圧がそれぞれ印加されたときの明るさの比率が１％（所定値）以下となる。この階調領域Ｉは、図３に示すように入力階調の変化に対するランプ電圧の変化率が一定である場合（従来）における第１の電圧−輝度特性領域に相当する。一方、約５３０より低い階調領域ＩＩでは、互いに隣接する２つの入力階調（第２の隣接階調）に応じた２つの液晶駆動電圧がそれぞれ印加されたときの明るさの比率が１％より大きい。この階調領域ＩＩは、入力階調に対するランプ電圧の変化率が一定である場合における第２の電圧−輝度特性領域に相当し、該階調領域ＩＩでは、互いに隣接する２つの入力階調（以下、隣接階調ともいう）間での輝度段差が目立つ。
【００５６】
これに対して図７（Ｂ）に示す非線形な変換後ランプ電圧を用いる本実施例では、図１５（Ｃ）に示した階調領域ＩＩでも、図８に示すように、隣接階調に応じた液晶駆動電圧がそれぞれ印加されたときの明るさの比率が０．５％以下となる。具体的には、図７（Ａ）に示した入力データ変換テーブルによる変換後の隣接階調間での明るさ比率が０．５％以下（１％以下）となるように、入力階調の変化に対する変換後ランプ電圧の階調領域ＩＩでの変化率を階調領域Ｉでの該変化率よりも小さくしている。
【００５７】
なお、変換後ランプ電圧は、サンプリング期間内でＣＲＳＴ信号からのＤ／ＡＣＬＫのクロック数（時間）とともに変化することから、変換後ランプ電圧の階調領域ＩＩでの時間変化率を階調領域Ｉでの時間変化率よりも小さくしていると言うこともできる。
【００５８】
本実施例では、上記のような変換後ランプ電圧を用いることで、全ての階調領域Ｉ，ＩＩにおいて隣接階調間での明るさ比率を０．５％以下（所定値以下としての１％以下）とし、隣接階調間での輝度段差（疑似輪郭）が視認されないようにしている。したがって、輝度むら補正が行われた場合に疑似輪郭が視認されることがなくなり、良好な画質を得ることができる。
【００５９】
ここで、図７（Ａ）に示した入力データ変換テーブルの作成方法について説明する。図１５（Ｃ）を見ると、従来において隣接階調間での明るさ比率が０．５％以下になる階調は６５０以上である。このため、全階調領域で隣接階調間での明るさ比率を０．５％以下とするためには、６５０以下の階調領域での階調性を向上させる必要がある。例えば、図１５（Ｃ）において、階調が３９０であるときの隣接階調（３９０，３９１）間での明るさ比率は１．６％であり、これを０．５％にするためには、階調性を３．２倍（＝１．６％／０．５％）向上させなくてはならない。このため、図７（Ａ）に示した入力データ変換テーブルの階調３９０での傾きを、１／３．２とすればよい。
【００６０】
図７（Ａ）において、ＣＣＬＫのカウント値がＣＫ３９０（図８および図１５（Ｃ）中の階調３９０と等価）であるとき、変換後の階調は４８５（１２ｂｉｔ）である。このため、傾き１／３．２倍を考慮すると、ＣＫ３９０に隣接するＣＫ３９１（図８および図１５（Ｃ）中の階調３９１と等価）のときの変換後の階調は、４８６．２５（＝４８５＋（４８６−４８５）×４／３．２）となる。他の各階調で上記と同様にして傾きを算出することで、図７（Ａ）に示す入力データ変換テーブルを作成することができる。なお、階調が６５０前後の領域では、隣接階調間での明るさ比率を０．５％以下としつつ入力データ変換テーブルが滑らかに繋がるように該変換テーブルを調整している。
【００６１】
以下、変換後ランプ電圧について、より具体的に説明する。入力階調のうち最低階調をαｍｉｎとし、この最低階調αｍｉｎに応じてサンプリングされる液晶駆動電圧（画素電圧）をαｍｉｎＶとする。また、入力階調のうち最高階調をαｍａｘとし、この最高階調αｍａｘに応じてサンプリングされる液晶駆動電圧をαｍａｘＶとする。このとき、ランプ電圧生成回路３００にて生成される液晶駆動電圧の範囲ＡＶは、
ＡＶ＝αｍａｘＶ−αｍｉｎＶ
である。
【００６２】
図３に示したようにランプ電圧が線形に単調変化（単調増加）する場合において、入力階調βに対する明るさ（表示輝度）をＢとし、該入力階調βに隣接する入力階調の入力階調）β＋１に対する明るさをＢ＋１とする。このとき、隣接階調β，β＋１間での明るさ比率は、
（Ｂ＋１）／Ｂ
である。さらに、線形に単調変化するランプ電圧から、隣接階調β，β＋１のそれぞれに対してサンプリングされる液晶駆動電圧の差は、
（αｍａｘＶ−αｍｉｎＶ）／（αｍａｘ−αｍｉｎ）
で表される。よって、隣接階調β，β＋１間での明るさ比率を所定値である１％とするために該隣接階調β，β＋１のそれぞれに対してサンプリングされるべき液晶駆動電圧の差は、以下の式（１）により表される。
［１／（｛［（Ｂ＋１）／Ｂ］−１｝×１００）］
×［（αｍａｘＶ−αｍｉｎＶ）／（αｍａｘ−αｍｉｎ）］  ・・・（１）
このため、図７（Ｂ）に示す変換後ランプ電圧において、階調領域ＩＩにおける隣接階調間（第２の隣接階調間）での液晶駆動電圧の差が、式（１）の値以下であればよい。
【００６３】
本実施例では、αｍｉｎ＝０、αｍａｘ＝１０２４、αｍｉｎＶ＝０Ｖ、αｍａｘＶ＝４．０Ｖであり、ＡＶ＝４．０Ｖである。また、図３に示したようにランプ電圧が線形に単調増加する場合において、入力階調β＝３９０とこれに隣接する入力階調β＋１＝３９１での明るさの比率（Ｂ＋１）／Ｂは、１．０１６となる。これらを式（１）に代入すると、
｛１／［（１．０１６−１）×１００］｝×（４．０／１０２３）
＝０．００２４Ｖ
となる。したがって、図７（Ｂ）に示す変換後ランプ電圧において、階調領域ＩＩにおける隣接階調間での液晶駆動電圧の差が、０．００２４Ｖ以下となっていればよい。
【００６４】
図７（Ｂ）を見ると、階調β＝３９０に応じた液晶駆動電圧は０．４７３７Ｖ（＝４８５／４０９５×４）であり、階調β＝３９１に応じた液晶駆動電圧は０．４７５０Ｖ（＝４８６．２５／４０９５×４）である。そして、これら隣接階調間での液晶駆動電圧の差は０．００１３Ｖであり、式（１）の値である０．００２４Ｖより小さい。また、他の隣接階調においても液晶駆動電圧の差が式（１）の値以下となっている。
【実施例２】
【００６５】
次に、本発明の実施例２について説明する。図９および図１０（Ｂ）には、実施例１において図６および図７（Ｂ）に示した変換後ランプ電圧とは異なる本実施例の変換後ランプ電圧を示している。なお、本実施例において、実施例１にて説明した電気光学表示装置の構成要素と同じ構成要素には、実施例１と同符号を付してその説明は省略する。
【００６６】
本実施例における変換後ランプ電圧は、実施例１における変換後ランプ電圧と同様に、ＣＣＬＫのカウント値（ＣＫ１〜ＣＫ１０２４）の変化、つまりは入力階調の変化に対して非線形な特性を有する。これは、ランプ電圧生成回路３００が、その入力データ変換機能において、図１０（Ａ）に示す入力データ変換テーブルを用いてＣＣＬＫのカウント値を変換した結果である。
【００６７】
図１０（Ａ）に示す変換テーブルにおいて、例えばＣＣＬＫのカウント値がＣＫ４７０であるとき、縦軸に示す変換後の階調は９６５になる。変換後の階調はランプ電圧（ＲＶ）に比例しており、変換後の階調が０のときのランプ電圧（ＲＶ）は０Ｖ、変換後の階調が２０４７のときのランプ電圧（ＲＶ）は２Ｖ、変換後の階調が４０９５のときのランプ電圧（ＲＶ）は４Ｖである。
【００６８】
また、図１０（Ａ）に示す変換テーブルによる変換後の階調のビット数は１２ｂｉｔであり、ＣＣＬＫカウント数のビット数である１０ｂｉｔより多い。このため、変換後ランプ電圧は、図３に示した線形のランプ電圧よりも細かい分解能を持つことが可能である。
【００６９】
図１０（Ｂ）には、サンプリング期間におけるＣＣＬＫのカウント値に対する変換後ランプ電圧（ＲＶ）を、図９よりも詳細に示している。横軸はＣＣＬＫのカウント値（ＣＫ１〜ＣＫ１０２４）を、縦軸は各カウント値に対してランプ電圧生成回路３００にて生成される変換後ランプ電圧（液晶駆動電圧）を示している。例えば、ＣＣＬＫのカウント値がＣＫ４７０であるとき、変換後ランプ電圧は、０．９４２Ｖである。なお、本実施例の液晶表示パネル１００のガンマ特性は、図７（Ｃ）に示した実施例１の液晶表示パネル１００のガンマ特性と同じである。
【００７０】
本実施例では、図１５（Ｃ）に示した階調領域ＩＩでも、図１１に示すように、隣接階調に応じた液晶駆動電圧がそれぞれ印加されたときの明るさの比率が０．８％以下となる。具体的には、図１０（Ａ）に示した入力データ変換テーブルによる変換後の隣接階調間での明るさ比率が０．８％以下（１％以下）となるように、入力階調の変化に対する変換後ランプ電圧の階調領域ＩＩでの変化率を階調領域Ｉでの該変化率よりも小さくしている。
【００７１】
このような変換後ランプ電圧を用いることで、全ての階調領域Ｉ，ＩＩにおいて隣接階調間での明るさ比率を０．８％以下（所定値以下としての１％以下）とし、隣接階調間での輝度段差（疑似輪郭）が視認されないようにしている。したがって、輝度むら補正が行われた場合に疑似輪郭が視認されることがなくなり、良好な画質を得ることができる。
【００７２】
ここで、図１０（Ａ）に示した入力データ変換テーブルの作成方法について説明する。図１５（Ｃ）を見ると、従来において隣接階調間での明るさ比率が０．８％以下になる階調は５７０以上である。このため、全階調領域で隣接階調間での明るさ比率を０．８％以下とするためには、５７０以下の階調領域での階調性を向上させる必要がある。例えば、図１５（Ｃ）において、階調が３９０であるときの隣接階調（３９０，３９１）間での明るさ比率は１．６％であり、これを０．８％にするためには、階調性を２．０倍（＝１．６％／０．８％）向上させなくてはならない。このため、図１０（Ａ）に示した入力データ変換テーブルの階調３９０での傾きを、１／２．０とすればよい。
【００７３】
図１０（Ａ）において、ＣＣＬＫのカウント値がＣＫ３９０（図１１および図１５（Ｃ）中の階調３９０と等価）であるとき、変換後の階調は７７７（１２ｂｉｔ）である。このため、傾き１／２．０倍を考慮すると、ＣＫ３９０に隣接するＣＫ３９１（図１１および図１５（Ｃ）中の階調３９１と等価）のときの変換後の階調は、７７９．０（＝７７７＋（７７８−７７７）×４／２．０）となる。他の各階調で上記と同様にして傾きを算出することで、図１０（Ａ）に示す入力データ変換テーブルを作成することができる。なお、階調が５７０前後の領域では、隣接階調間での明るさ比率を０．８％以下としつつ入力データ変換テーブルが滑らかに繋がるように該変換テーブルを調整している。
【００７４】
本実施例でも、αｍｉｎ＝０、αｍａｘ＝１０２４、αｍｉｎＶ＝０Ｖ、αｍａｘＶ＝４．０Ｖであり、ＡＶ＝４．０Ｖである。また、図３に示したようにランプ電圧が線形に単調増加する場合において、入力階調β＝３９０とこれに隣接する入力階調β＋１＝３９１での明るさの比率（Ｂ＋１）／Ｂは、１．０１６となる。これらを式（１）に代入すると、
｛１／［（１．０１６−１）×１００］｝×（４．０／１０２３）
＝０．００２４Ｖ
となる。したがって、図１０（Ｂ）に示す変換後ランプ電圧において、階調領域ＩＩにおける隣接階調間での液晶駆動電圧の差が、０．００２４Ｖ以下となっていればよい。
【００７５】
図１０（Ｂ）を見ると、階調β＝３９０に応じた液晶駆動電圧は０．７５９０Ｖ（＝７７７／４０９５×４）であり、階調β＝３９１に応じた液晶駆動電圧は０．７６０９Ｖ（＝７７９／４０９５×４）である。そして、これら隣接階調間での液晶駆動電圧の差は０．００１９Ｖであり、式（１）の値である０．００２４Ｖより小さい。また、他の隣接階調においても液晶駆動電圧の差が式（１）の値以下となっている。
【実施例３】
【００７６】
次に、本発明の実施例２について説明する。図１２および図１３（Ｂ）には、実施例１において図６および図７（Ｂ）に示した変換後ランプ電圧とは異なる本実施例の変換後ランプ電圧を示している。なお、本実施例において、実施例１にて説明した電気光学表示装置の構成要素と同じ構成要素には、実施例１と同符号を付してその説明は省略する。
【００７７】
本実施例における変換後ランプ電圧は、実施例１における変換後ランプ電圧と同様に、ＣＣＬＫのカウント値（ＣＫ１〜ＣＫ１０２４）の変化、つまりは入力階調の変化に対して非線形な特性を有する。これは、ランプ電圧生成回路３００が、その入力データ変換機能において、図１３（Ａ）に示す入力データ変換テーブルを用いてＣＣＬＫのカウント値を変換した結果である。
【００７８】
図１３（Ａ）に示す変換テーブルにおいて、例えばＣＣＬＫのカウント値がＣＫ４７０であるとき、縦軸に示す変換後の階調は１２０６になる。変換後の階調はランプ電圧（ＲＶ）に比例しており、変換後の階調が０のときのランプ電圧（ＲＶ）は０Ｖ、変換後の階調が２０４７のときのランプ電圧（ＲＶ）は２Ｖ、変換後の階調が４０９５のときのランプ電圧（ＲＶ）は４Ｖである。
【００７９】
また、図１３（Ａ）に示す変換テーブルによる変換後の階調のビット数は１２ｂｉｔであり、ＣＣＬＫカウント数のビット数である１０ｂｉｔより多い。このため、変換後ランプ電圧は、図３に示した線形のランプ電圧よりも細かい分解能を持つことが可能である。
【００８０】
図１３（Ｂ）には、サンプリング期間におけるＣＣＬＫのカウント値に対する変換後ランプ電圧（ＲＶ）を、図１２よりも詳細に示している。横軸はＣＣＬＫのカウント値（ＣＫ１〜ＣＫ１０２４）を、縦軸は各カウント値に対してランプ電圧生成回路３００にて生成される変換後ランプ電圧（液晶駆動電圧）を示している。例えば、ＣＣＬＫのカウント値がＣＫ４７０であるとき、変換後ランプ電圧は、１．１７８Ｖである。なお、本実施例の液晶表示パネル１００のガンマ特性は、図７（Ｃ）に示した実施例１の液晶表示パネル１００のガンマ特性と同じである。
【００８１】
本実施例では、図１５（Ｃ）に示した階調領域ＩＩでも、図１４に示すように、隣接階調に応じた液晶駆動電圧がそれぞれ印加されたときの明るさの比率が１％以下となる。具体的には、図１３（Ａ）に示した入力データ変換テーブルによる変換後の隣接階調間での明るさ比率が１％以下となるように、入力階調の変化に対する変換後ランプ電圧の階調領域ＩＩでの変化率を階調領域Ｉでの該変化率よりも小さくしている。
【００８２】
このような変換後ランプ電圧を用いることで、全ての階調領域Ｉ，ＩＩにおいて隣接階調間での明るさ比率を１％以下（所定値以下）とし、隣接階調間での輝度段差（疑似輪郭）が視認されないようにしている。したがって、輝度むら補正が行われた場合に疑似輪郭が視認されることがなくなり、良好な画質を得ることができる。
【００８３】
ここで、図１３（Ａ）に示した入力データ変換テーブルの作成方法について説明する。図１５（Ｃ）を見ると、従来において隣接階調間での明るさ比率が１％以下になる階調は５３０以上である。このため、全階調領域で隣接階調間での明るさ比率を１％以下とするためには、５３０以下の階調領域での階調性を向上させる必要がある。例えば、図１５（Ｃ）において、階調が３９０であるときの隣接階調（３９０，３９１）間での明るさ比率は１．６％であり、これを１％にするためには、階調性を１．６倍（＝１．６％／１％）向上させなくてはならない。このため、図１３（Ａ）に示した入力データ変換テーブルの階調３９０での傾きを、１／１．６とすればよい。
【００８４】
図１３（Ａ）において、ＣＣＬＫのカウント値がＣＫ３９０（図１４および図１５（Ｃ）中の階調３９０と等価）であるとき、変換後の階調は９７１（１２ｂｉｔ）である。このため、傾き１／１．６倍を考慮すると、ＣＫ３９０に隣接するＣＫ３９１（図１４および図１５（Ｃ）中の階調３９１と等価）のときの変換後の階調は、９７３．５（＝９７１＋（９７２−９７１）×４／１．６）となる。他の各階調で上記と同様にして傾きを算出することで、図１３（Ａ）に示す入力データ変換テーブルを作成することができる。なお、階調が５３０前後の領域では、隣接階調間での明るさ比率を１％以下としつつ入力データ変換テーブルが滑らかに繋がるように該変換テーブルを調整している。
【００８５】
本実施例でも、αｍｉｎ＝０、αｍａｘ＝１０２４、αｍｉｎＶ＝０Ｖ、αｍａｘＶ＝４．０Ｖであり、ＡＶ＝４．０Ｖである。また、図３に示したようにランプ電圧が線形に単調増加する場合において、入力階調β＝３９０とこれに隣接する入力階調β＋１＝３９１での明るさの比率（Ｂ＋１）／Ｂは、１．０１６となる。これらを式（１）に代入すると、
｛１／［（１．０１６−１）×１００］｝×（４．０／１０２３）
＝０．００２４Ｖ
となる。したがって、図１３（Ｂ）に示す変換後ランプ電圧において、階調領域ＩＩにおける隣接階調間での液晶駆動電圧の差が、０．００２４Ｖ以下となっていればよい。
【００８６】
図１３（Ｂ）を見ると、階調β＝３９０に応じた液晶駆動電圧は０．９４８５Ｖ（＝９７１／４０９５×４）であり、階調β＝３９１に応じた液晶駆動電圧は０．９５０９Ｖ（＝９７３．５／４０９５×４）である。そして、これら隣接階調間での液晶駆動電圧の差は０．００２４Ｖであり、式（１）の値である０．００２４Ｖに等しい（以下である）。また、他の隣接階調においても液晶駆動電圧の差が式（１）の値以下となっている。
【実施例４】
【００８７】
次に、図１７を用いて、上記実施例１〜３にて説明した電気光学表示装置を用いた画像投射装置（液晶プロジェクタ）の構成を説明する。液晶表示素子ドライバ３０３は、図１に示した制御回路２００およびランプ電圧生成回路３００を含み、不図示の外部装置からのビデオ入力信号（入力映像）から、液晶表示パネル（１００）３Ｒ，３Ｇ，３Ｂに対する駆動制御信号を生成する。本実施例の液晶プロジェクタは、液晶表示パネルとして、レッド用液晶表示パネル３Ｒ、グリーン用液晶表示パネル３Ｇおよびブルー用液晶表示パネル３Ｂを有する。
【００８８】
光源を含む照明光学系３０１から照明光（白色光かつ直線偏光光）のうちマゼンダ光成分は、ダイクロイックミラー３０５によって反射され、ブルークロスカラー偏光子３１１に入射する。ブルークロスカラー偏光子３１１は、ブルー光の偏光に半波長のリタデーションを与えるため、図の紙面に平行な方向を偏光方向とする直線偏光であるブルー光成分と、紙面に垂直な方向を偏光方向とするレッド光成分とに分離される。
【００８９】
ブルー光成分は、第１の偏光ビームスプリッター３１０にＰ偏光として入射してその偏光分離膜を透過し、ブルー用液晶表示パネル３Ｂに導かれる。また、レッド光成分は、第１の偏光ビームスプリッター３１０にＳ偏光として入射してその偏光分離膜で反射し、レッド用液晶表示パネル３Ｒに導かれる。
【００９０】
一方、照明光学系３０１からの照明光（白色光）のうちグリーン光成分は、ダイクロイックミラー３０５を透過した後、光路長を補正するためのダミーガラス３０６を透過して第２の偏光ビームスプリッター３０７にＳ偏光として入射する。そして、グリーン色成分は、第２の偏光ビームスプリッター３０７の偏光分離膜で反射して、グリーン用液晶表示パネル３Ｇに導かれる。
【００９１】
レッド用、グリーン用およびブルー用液晶表示パネル３Ｒ，３Ｇ，３Ｂはそれぞれ、液晶表示素子ドライバ３０３内のランプ電圧生成回路３００により生成された変換後ランプ電圧を用いて駆動され、入射した光を変調して画像を表示する光を生成する。各液晶表示パネルは、反射型液晶表示パネルであるため、入射した光を変調するとともに反射する。
【００９２】
グリーン用液晶表示パネル３Ｇで変調および反射されたグリーン光成分は、第２の偏光ビームスプリッター３０７の偏光分離膜を透過して、光路長を補正するためのダミーガラス３０９を通過した後、色合成プリズム３０８に入射する。また、ブルー用液晶表示パネル３Ｂで変調および反射されたブルー光成分は、第１の偏光ビームスプリッター３０７の偏光分離膜で反射され、レッドクロスカラー偏光子３１２をそのまま通過して色合成プリズム３０８に入射する。さらに。レッド用液晶表示パネル３Ｒで変調および反射されたレッド光成分は、第１の偏光ビームスプリッター３１０を透過して、レッドクロスカラー偏光子３１２により半波長のリタデーションが与えられた後、色合成プリズム３０８に入射する。
【００９３】
色合成プリズム３０８においては、これを透過したグリーン光成分とこれで反射したブルー光成分およびレッド光成分とが合成され、投射レンズ（投射光学系）３０４を介してスクリーン等の被投射面３１３に投射される。このようにして、ビデオ入力信号に対応したフルカラー画像が被投射面３１３上に表示される。
【００９４】
なお、本実施例では、電気光学表示装置を搭載した画像投射装置について説明した。しかし、他の実施例として、直視型の液晶テレビ、携帯電話、ノートパソコン、デジタルスチルカメラ、カーナビゲーション装置等の各種電子機器にも実施例１〜３にて説明した電気光学表示装置を搭載することができる。
【産業上の利用可能性】
【００９５】
高画質の画像を表示可能な電気光学表示装置を提供することができる。
【符号の説明】
【００９６】
１００  液晶表示パネル
２００  制御回路
２１０  パネル制御回路
２２０  サンプリング制御回路
３００  ランプ電圧生成回路
【図１】
2014089306.tif 000003
【図２】
2014089306.tif 000004
【図３】
2014089306.tif 000005
【図４】
2014089306.tif 000006
【図５】
2014089306.tif 000007
【図６】
2014089306.tif 000008
【図７】
2014089306.tif 000009
【図８】
2014089306.tif 000010
【図９】
2014089306.tif 000011
【図１０】
2014089306.tif 000012
【図１１】
2014089306.tif 000013
【図１２】
2014089306.tif 000014
【図１３】
2014089306.tif 000015
【図１４】
2014089306.tif 000016
【図１５】
2014089306.tif 000017
【図１６】
2014089306.tif 000018
【図１７】
2014089306.tif 000019